(57)【特許請求の範囲】
【請求項１】
インクジェットヘッドをプラテンに搭載された記録媒体上方をＹ方向に移動させながら、該インクジェットヘッドに並ぶ複数のノズルからインク滴を記録媒体方向に噴射させて、該記録媒体表面のＹ方向に複数のインクのドットの寄せ集めからなる絵図又は文字を所定Ｘ幅分プリントし終える度毎に、その記録媒体表面のＹ方向にプリントし終えた絵図又は文字の所定Ｘ幅分、前記インクジェットヘッドを記録媒体上方をＸ方向に相対的に移動させて、前記記録媒体表面に複数のインクのドットの寄せ集めからなる絵図又は文字をプリントするインクジェットプリンタにおいて、
前記インクジェットヘッドをＹ方向に移動させる度毎に、該インクジェットヘッドに並ぶ複数のノズルから２色以上のインク滴を前記記録媒体方向に噴射させて、該記録媒体表面に２色以上の複数のインクのドットの寄せ集めからなる複数色の絵図又は文字をプリントできる複数色同時プリント手段と、
前記インクジェットヘッドをＹ方向に移動させる度毎に、該インクジェットヘッドに並ぶ複数のノズルから１色のインク滴を前記記録媒体方向に噴射させて、該記録媒体表面に１色の複数のインクのドットの寄せ集めからなる単色の絵図又は文字をプリントできる単色プリント手段と、
該単色プリント手段により前記記録媒体表面に単色の絵図又は文字をＸ方向に所定区切り長さ分プリントし終える度毎に、その単色プリント手段により絵図又は文字がＸ方向に所定区切り長さ分プリントされた記録媒体表面のプリント開始部分の上方に前記インクジェットヘッドをＸ−Ｙ方向に相対的に移動、復帰させて、その単色プリント手段により絵図又は文字がＸ方向に所定区切り長さ分プリントされた記録媒体表面であって、一定時間経過して、そのプリントされた絵図又は文字のインクが乾いた記録媒体表面に、前記単色プリント手段を用いて、従前にプリントされた絵図又は文字の色とは異なる単色の絵図又は文字を重ねてプリントできる重ねプリント手段とが備えられてなることを特徴とするインクジェットプリンタ。
【請求項２】
次のａ、ｂの２種類の方法のいずれかを選択することを特徴とする請求項１記載のインクジェットプリンタを用いた複数色の絵図又は文字のプリント方法。
ａ．記録媒体表面にインクの滲み防止処理がなされている場合には、前記複数色同時プリント手段により、前記インクジェットヘッドをプラテンに搭載された記録媒体上方をＹ方向に移動させながら、該インクジェットヘッドに並ぶ複数のノズルから２色以上のインク滴を記録媒体方向に噴射させて、該記録媒体表面のＹ方向に２色以上の複数のインクのドットの寄せ集めからなる複数色の絵図又は文字を所定Ｘ幅分プリントし終える度毎に、その複数色同時プリント手段により記録媒体表面のＹ方向にプリントし終えた複数色の絵図又は文字の所定Ｘ幅分、前記インクジェットヘッドを記録媒体上方をＸ方向に相対的に移動させて、前記記録媒体表面に複数色の絵図又は文字をプリントする方法。
ｂ．記録媒体表面にインクの滲み防止処理がなされていない場合には、前記単色プリント手段により、前記インクジェットヘッドをプラテンに搭載された記録媒体上方をＹ方向に移動させながら、該インクジェットヘッドに並ぶ複数のノズルから１色のインク滴を記録媒体方向に噴射させて、該記録媒体表面のＹ方向に１色の複数のインクのドットの寄せ集めからなる単色の絵図又は文字を所定Ｘ幅分プリントし終える度毎に、その単色プリント手段により記録媒体表面のＹ方向にプリントし終えた単色の絵図又は文字の所定Ｘ幅分、前記インクジェットヘッドを記録媒体上方をＸ方向に相対的に移動させて、前記記録媒体表面に単色の絵図又は文字をプリントすると共に、その単色プリント手段により単色の絵図又は文字を記録媒体表面のＸ方向に所定区切り長さ分プリントし終える度毎に、前記重ねプリント手段を用いて、その単色プリント手段により絵図又は文字がＸ方向に所定区切り長さ分プリントされた記録媒体表面のプリント開始部分の上方に前記インクジェットヘッドをＸ−Ｙ方向に相対的に移動、復帰させて、その単色プリント手段により絵図又は文字がＸ方向に所定区切り長さ分プリントされた記録媒体表面であって、一定時間経過して、そのプリントされた絵図又は文字のインクが乾いた記録媒体表面に、前記単色プリント手段を用いて、従前にプリントされた絵図又は文字の色とは異なる単色の絵図又は文字を重ねてプリントすることにより、前記記録媒体表面に複数色の絵図又は文字をプリントする方法。
【発明の詳細な説明】
【０００１】
【発明の属する技術分野】
本発明は、記録媒体表面に２色以上の複数色の絵図又は文字をプリントするインクジェットプリンタと、該プリンタを用いてシート、フィルム、ロール紙、カット紙、板などの記録媒体表面に２色以上の複数色の絵図又は文字をプリントする複数色の絵図又は文字のプリント方法とに関する。
【０００２】
【従来の技術】
従来より、図４と図５に示したような、インクジェットプリンタが汎用されている。
このプリンタは、インクジェットヘッド１０をプラテン２０に搭載された記録媒体３０上方をＹ方向に移動させながら、該インクジェットヘッドに並ぶ複数のノズル１２からインク滴を記録媒体３０方向に噴射させる構造をしている。そして、その記録媒体３０表面のＹ方向に複数のインクのドットの寄せ集めからなる絵図又は文字を所定Ｘ幅分プリントできる構造をしている。
インクジェットヘッド１０をＹ方向に移動させて、記録媒体３０表面のＹ方向に複数のインクのドットの寄せ集めからなる絵図又は文字を所定Ｘ幅分プリントし終えた後には、その記録媒体３０表面のＹ方向にプリントし終えた絵図又は文字の所定Ｘ幅分、記録媒体３０をプラテン２０表面に沿ってＸ方向にスライドさせて、記録媒体３０に対してインクジェットヘッド１０をＸ方向に相対的に移動させることができる構造をしている。
以下、インクジェットヘッド１０をＹ方向に移動させて、記録媒体３０表面のＹ方向に複数のインクのドットの寄せ集めからなる絵図又は文字を所定Ｘ幅分プリントし終える度毎に、その記録媒体３０表面のＹ方向にプリントし終えた絵図又は文字の所定Ｘ幅分、記録媒体３０に対してインクジェットヘッド１０をＸ方向に相対的に移動させる操作を繰り返し行って、記録媒体３０表面のＸ方向に複数のインクのドットの寄せ集めからなる絵図又は文字を連続してプリントできる構造をしている。
【０００３】
このインクジェットプリンタのうちの、２色以上の複数色の絵図又は文字をプリントするプリンタでは、インクジェットヘッド１０をプラテン１０に搭載された記録媒体３０上方をＹ方向に移動させながら、そのインクジェットヘッド１０に並ぶ複数のノズル１２から２色以上のインク滴を記録媒体３０方向に噴射させることができる構造をしている。そして、記録媒体３０表面に、２色以上の複数のインクのドットの寄せ集めからなる複数色の絵図又は文字をプリントできる構造をしている。
【０００４】
【発明が解決しようとする課題】
しかしながら、上記の複数色の絵図又は文字をプリントするインクジェットプリンタを用いて、通常汎用される記録媒体３０表面に、複数色の絵図又は文字をプリントした場合には、その複数色の絵図又は文字が、滲んだ状態となって、ぼやけたり、色あせたり、変色したりしてしまった。
その原因は、上記の複数色の絵図又は文字をプリントするインクジェットプリンタにより、記録媒体３０表面に複数色の絵図又は文字をプリントした場合には、その記録媒体３０表面のほぼ同一着弾点に、２色以上のインク滴が、その一方のインク滴が乾燥し切らないないうちに、ほぼ同時に着弾するからでる。そして、その２色以上のインク滴が、合体して、大きなインク滴となり、その着弾点周囲の記録媒体３０に広く染み込んでしまうからである。それと共に、そのほぼ同一着弾点に着弾した２色以上のインク滴が、乾かないうちに、互いに混ざり合ってしまうからである。そして、その記録媒体３０表面の着弾点に、所望の色のインクのドットを形成できなくなって、その記録媒体３０表面の着弾点に、所望の色とは異なる色あせたインクのドットが形成されてしまうからである。
【０００５】
このような課題を解消する手段としては、２色以上の複数色の絵図又は文字をプリントする記録媒体３０表面に、インクの染み込み防止用のアンダーコート剤を塗布して、その記録媒体３０表面にインクの滲み防止処理を施すことが、従来より広く行われている。
しかしながら、この手段を用いた場合には、その複数色の絵図又は文字をプリントする記録媒体３０に、アンダーコート剤等によるインクの滲み防止処理が施された特殊な記録媒体を用いなければならず、面倒であると共に、その複数色の絵図又は文字をプリントする記録媒体３０が高価なものとなってしまった。
【０００６】
本発明は、このような課題を解消した、２色以上の複数色の絵図又は文字をプリントするインクジェットプリンタであって、滲み防止処理がなされていない汎用の記録媒体表面にも、滲みのないくっきりとした鮮明な複数色の絵図又は文字をプリントできるインクジェットプリンタと、該プリンタを用いた複数色の絵図又は文字のプリント方法とを提供することを目的としている。
【０００７】
【課題を解決するための手段】
上記の目的を達成するために、本発明のインクジェットプリンタは、インクジェットヘッドをプラテンに搭載された記録媒体上方をＹ方向に移動させながら、該インクジェットヘッドに並ぶ複数のノズルからインク滴を記録媒体方向に噴射させて、該記録媒体表面のＹ方向に複数のインクのドットの寄せ集めからなる絵図又は文字を所定Ｘ幅分プリントし終える度毎に、その記録媒体表面のＹ方向にプリントし終えた絵図又は文字の所定Ｘ幅分、前記インクジェットヘッドを記録媒体上方をＸ方向に相対的に移動させて、前記記録媒体表面に複数のインクのドットの寄せ集めからなる絵図又は文字をプリントするインクジェットプリンタにおいて、
前記インクジェットヘッドをＹ方向に移動させる度毎に、該インクジェットヘッドに並ぶ複数のノズルから２色以上のインク滴を前記記録媒体方向に噴射させて、該記録媒体表面に２色以上の複数のインクのドットの寄せ集めからなる複数色の絵図又は文字をプリントできる複数色同時プリント手段と、
前記インクジェットヘッドをＹ方向に移動させる度毎に、該インクジェットヘッドに並ぶ複数のノズルから１色のインク滴を前記記録媒体方向に噴射させて、該記録媒体表面に１色の複数のインクのドットの寄せ集めからなる単色の絵図又は文字をプリントできる単色プリント手段と、
該単色プリント手段により前記記録媒体表面に単色の絵図又は文字をＸ方向に所定区切り長さ分プリントし終える度毎に、その単色プリント手段により絵図又は文字がＸ方向に所定区切り長さ分プリントされた記録媒体表面のプリント開始部分の上方に前記インクジェットヘッドをＸ−Ｙ方向に相対的に移動、復帰させて、その単色プリント手段により絵図又は文字がＸ方向に所定区切り長さ分プリントされた記録媒体表面であって、一定時間経過して、そのプリントされた絵図又は文字のインクが乾いた記録媒体表面に、前記単色プリント手段を用いて、従前にプリントされた絵図又は文字の色とは異なる単色の絵図又は文字を重ねてプリントできる重ねプリント手段とが備えられてなることを特徴としている。
【０００８】
また、本発明のインクジェットプリンタを用いた本発明の複数色の絵図又は文字のプリント方法は、次のａ、ｂの２種類の方法のいずれかを選択することを特徴としている。
ａ．記録媒体表面にインクの滲み防止処理がなされている場合には、前記複数色同時プリント手段により、前記インクジェットヘッドをプラテンに搭載された記録媒体上方をＹ方向に移動させながら、該インクジェットヘッドに並ぶ複数のノズルから２色以上のインク滴を記録媒体方向に噴射させて、該記録媒体表面のＹ方向に２色以上の複数のインクのドットの寄せ集めからなる複数色の絵図又は文字を所定Ｘ幅分プリントし終える度毎に、その複数色同時プリント手段により記録媒体表面のＹ方向にプリントし終えた複数色の絵図又は文字の所定Ｘ幅分、前記インクジェットヘッドを記録媒体上方をＸ方向に相対的に移動させて、前記記録媒体表面に複数色の絵図又は文字をプリントする方法。
ｂ．記録媒体表面にインクの滲み防止処理がなされていない場合には、前記単色プリント手段により、前記インクジェットヘッドをプラテンに搭載された記録媒体上方をＹ方向に移動させながら、該インクジェットヘッドに並ぶ複数のノズルから１色のインク滴を記録媒体方向に噴射させて、該記録媒体表面のＹ方向に１色の複数のインクのドットの寄せ集めからなる単色の絵図又は文字を所定Ｘ幅分プリントし終える度毎に、その単色プリント手段により記録媒体表面のＹ方向にプリントし終えた単色の絵図又は文字の所定Ｘ幅分、前記インクジェットヘッドを記録媒体上方をＸ方向に相対的に移動させて、前記記録媒体表面に単色の絵図又は文字をプリントすると共に、その単色プリント手段により単色の絵図又は文字を記録媒体表面のＸ方向に所定区切り長さ分プリントし終える度毎に、前記重ねプリント手段を用いて、その単色プリント手段により絵図又は文字がＸ方向に所定区切り長さ分プリントされた記録媒体表面のプリント開始部分の上方に前記インクジェットヘッドをＸ−Ｙ方向に相対的に移動、復帰させて、その単色プリント手段により絵図又は文字がＸ方向に所定区切り長さ分プリントされた記録媒体表面であって、一定時間経過して、そのプリントされた絵図又は文字のインクが乾いた記録媒体表面に、前記単色プリント手段を用いて、従前にプリントされた絵図又は文字の色とは異なる単色の絵図又は文字を重ねてプリントすることにより、前記記録媒体表面に複数色の絵図又は文字をプリントする方法。
【０００９】
この本発明のインクジェットプリンタを用いた本発明の複数色の絵図又は文字のプリント方法においては、
ａ項記載のように、記録媒体表面にインクの滲み防止処理がなされている場合には、複数色同時プリント手段により、インクジェットヘッドをプラテンに搭載された記録媒体上方をＹ方向に移動させながら、該インクジェットヘッドに並ぶ複数のノズルから２色以上のインク滴を記録媒体方向に噴射させて、その記録媒体表面のＹ方向に、２色以上の複数のインクのドットの寄せ集めからなる複数色の絵図又は文字を所定Ｘ幅分プリントできる。また、その記録媒体表面のＹ方向に、２色以上の複数のインクのドットの寄せ集めからなる複数色の絵図又は文字を所定Ｘ幅分プリントし終える度毎に、その記録媒体表面のＹ方向にプリントし終えた複数色の絵図又は文字の所定Ｘ幅分、前記インクジェットヘッドをＸ方向に相対的に移動させることができる。そして、記録媒体表面のＸ方向に複数色の絵図又は文字を連続してプリントできる。
即ち、記録媒体表面にインクの滲み防止処理がなされている場合には、従来の複数色の絵図又は文字をプリントするインクジェットプリンタを用いた複数色の絵図又は文字のプリント方法と同様にして、そのインクの滲み防止処理がなされている記録媒体表面に複数色の絵図又は文字をプリントできる。
その際には、記録媒体表面に滲み防止処理がなされているため、その記録媒体表面のほぼ同一着弾点に、２色以上のインク滴が、その先に着弾したインク滴が乾かないうちに、ほぼ同時に着弾しても、その２色以上のインク滴が、合体して、大きなインク滴となり、その着弾点周囲の記録媒体に広く染み込むのを、防止できる。また、そのほぼ同一着弾点に着弾した２色以上のインク滴が、互いに混ざり合って、その記録媒体表面のほぼ同一着弾点に、所望の色とは異なる色あせたインクのドットが形成されるのを、防ぐことができる。
その結果、そのインクの滲み防止処理がなされた記録媒体表面に、滲みのないくっきりした鮮明な複数色の絵図又は文字をプリントすることが可能となる。
【００１０】
他方、ｂ項記載のように、記録媒体表面にインクの滲み防止処理がなされていない場合には、単色プリント手段により、インクジェットヘッドをプラテンに搭載された記録媒体上方をＹ方向に移動させながら、該インクジェットヘッドに並ぶ複数のノズルから１色のインク滴を記録媒体方向に噴射させて、その記録媒体表面のＹ方向に１色の複数のインクのドットの寄せ集めからなる単色の絵図又は文字を所定Ｘ幅分プリントできる。また、その単色プリント手段により記録媒体表面のＹ方向に１色の複数のインクのドットの寄せ集めからなる単色の絵図又は文字を所定Ｘ幅分プリントし終える度毎に、その単色プリント手段により記録媒体表面のＹ方向にプリントし終えた単色の絵図又は文字の所定Ｘ幅分、インクジェットヘッドをＸ方向に相対的に移動させることができる。そして、記録媒体表面のＸ方向に単色の絵図又は文字を連続してプリントできる。
それと共に、重ねプリント手段を用いて、単色プリント手段により単色の絵図又は文字を記録媒体表面のＸ方向に所定区切り長さ分プリントし終える度毎に、その単色プリント手段により絵図又は文字がＸ方向に所定区切り長さ分プリントされた記録媒体表面のプリント開始部分の上方にインクジェットヘッドをＸ−Ｙ方向に相対的に移動、復帰させることができる。そして、その単色プリント手段により絵図又は文字がＸ方向に所定区切り長さ分プリントされた記録媒体表面であって、一定時間経過して、そのプリントされた絵図又は文字のインクが乾いた記録媒体表面に、単色プリント手段を用いて、従前にプリントされた絵図又は文字の色とは異なる単色の絵図又は文字を重ねてプリントできる。そして、記録媒体表面のＸ方向に２色以上の単色の絵図又は文字が重ねてプリントされてなる複数色の絵図又は文字を連続してプリントできる。
また、重ねプリント手段を用いて、単色プリント手段により、従前に絵図又は文字がプリントされた所定区切り長さ分の記録媒体表面に単色の絵図又は文字を重ねてプリントする際には、その従前に所定区切り長さ分の記録媒体表面にプリントされた絵図又は文字のインクは、一定の時間が経過していて、乾いているため、その所定区切り長さ分の記録媒体表面に単色プリント手段により重ねてプリントする単色の絵図又は文字のインクであって、インクジェットヘッドのノズルから噴射されて記録媒体表面に着弾したインクが、従前にほぼ同じ着弾点に着弾した異なる色のインクと合体して、その着弾点周囲の記録媒体に広く染み込んだり、従前にほぼ同じ着弾点に着弾した異なる色のインクと互いに混ざり合って、その色がぼやけたり変化したりするのを、防ぐことができる。
この重ねプリント手段を用いて、従前に絵図又は文字がプリントされた所定区切り長さ分の記録媒体表面のプリント始め部分、プリント中間部分、プリント終わり部分等の同一部位に、単色プリント手段により、従前にプリントされた絵図又は文字とは異なる色の単色の絵図又は文字を順に重ねてプリントする際に、その記録媒体表面の同一部位に従前にプリントされた絵図又は文字のインクが十分に乾いている理由は、その記録媒体表面の同一部位に従前にプリントされた絵図又は文字のインクが記録媒体表面に着弾してから単色プリント手段により単色の絵図又は文字がプリントされるまでの間には、単色プリント手段により単色の絵図又は文字を記録媒体表面のＸ方向に所定区切り長さ分プリントする時間に相当する１サイクル以上の時間が経過しているからである。
その結果、そのインクの滲み防止処理がなされていない記録媒体表面にも、滲みのないくっきりした鮮明な複数色の絵図又は文字をプリントすることが可能となる。
【００１１】
【発明の実施の形態】
図１と図２は本発明のインクジェットプリンタの好適な実施の形態を示し、図１と図２はその概略構造を示す側面断面図ある。以下に、このインクジェットプリンタを説明する。
【００１２】
図のインクジェットプリンタでは、Ｙ方向に長い逆樋状をしたプラテン２０の内側に、一対の送りローラ２２がＸ方向に回転可能に支持されている。一対の送りローラ２２の上端周囲面は、プラテン２０の両側表面に露出している。
送りローラ２２の上方には、ピンチローラ２４が、Ｘ方向に回転自在に、かつ、送りローラ２２に対して昇降可能に支持されている。
そして、その一対の送りローラ２２とピンチローラ２４との間に、プラテン２０に搭載された記録媒体３０の両側を挟持できるように構成されている。そして、一対の送りローラ２２をＸ方向に同期回転させることにより、記録媒体３０をプラテン２０表面をＸ方向にスライドさせることができるように構成されている。そして、インクジェットヘッド１０を、プラテン２０に搭載された記録媒体３０の上方をＸ方向に相対的に移動させることができるように構成されている。
【００１３】
インクジェットヘッド１０は、プラテン２０上方のＹ方向に架設されたガイドレ−ル２６に摺動自在に支持されている。
そして、インクジェットヘッド１０を、ガイドレ−ル２６に沿って、Ｙ方向に移動させながら、そのインクジェットヘッド１０下面に並べて設けられた複数のノズル１２からインク滴を、その下方のプラテン２０に搭載された記録媒体３０方向に噴射させることができるように構成されている。そして、その記録媒体３０表面のＹ方向に、複数のインクのドットの寄せ集めからなる絵図又は文字を、インクジェットヘッド１０下面のＸ方向に並ぶ複数のノズル１２の合計丈分に当たる所定Ｘ幅分、プリントすることができるように構成されている。
また、記録媒体３０表面のＹ方向に複数のインクのドットの寄せ集めからなる絵図又は文字を所定Ｘ幅分プリントし終える度毎に、一対の送りローラ２２をＸ方向に回転させて、記録媒体３０をプラテン２０表面をＸ方向にスライドさせることができるように構成されている。そして、その記録媒体３０表面のＹ方向にプリントし終えた絵図又は文字の所定Ｘ幅分、インクジェットヘッド１０を記録媒体３０に対してＸ方向に相対的に移動させることができるように構成されている。そして、その記録媒体３０表面のＸ方向に、複数のインクのドットの寄せ集めからなる絵図又は文字を連続してプリントできるように構成されている。
【００１４】
以上の構成は、図４と図５に示した従来のインクジェットプリンタと同様であるが、図１と図２に示したインクジェットプリンタでは、インクジェットヘッド１０をプラテン２０に搭載された記録媒体３０上方をＹ方向に移動させる度毎に、そのインクジェットヘッド１０下面に並べて設けられた複数のノズル１２から２色以上のインク滴をその下方の記録媒体３０方向に噴射させて、その記録媒体３０表面に２色以上の複数のインクのドットの寄せ集めからなる複数色の絵図又は文字をプリントできる複数色同時プリント手段１００が備えられている。複数色同時プリント手段１００は、電子回路等から構成されている。
【００１５】
また、インクジェットヘッド１０をプラテン２０に搭載された記録媒体３０上方をＹ方向に移動させる度毎に、そのインクジェットヘッド１０下面に並べて設けられた複数のノズル１２から１色のインク滴をその下方の記録媒体３０方向に噴射させて、その記録媒体３０表面に１色の複数のインクのドットの寄せ集めからなる単色の絵図又は文字をプリントできる単色プリント手段２００が備えらている。単色プリント手段２００は、電子回路等から構成されている。
【００１６】
さらに、単色プリント手段２００により記録媒体３０表面に単色の絵図又は文字をＸ方向に所定区切り長さ分プリントし終える度毎に、その単色プリント手段２００により絵図又は文字がＸ方向に所定区切り長さ分プリントされた記録媒体３０表面のプリント開始部分の上方にインクジェットヘッド１０をＸ−Ｙ方向に相対的に移動、復帰させて、その単色プリント手段２００により絵図又は文字がＸ方向に所定区切り長さ分プリントされた記録媒体３０表面であって、一定時間経過して、そのプリントされた絵図又は文字のインクが乾いた記録媒体３０表面に、単色プリント手段２００を用いて、従前にプリントされた絵図又は文字の色とは異なる単色の絵図又は文字を重ねてプリントできる重ねプリント手段３００が備えられている。重ねプリント手段３００は、電子回路等から構成されている。
【００１７】
図１と図２に示したインクジェットプリンタは、以上のように構成されている。
次に、この図１と図２に示したインクジェットプリンタを用いた本発明の複数色の絵図又は文字のプリント方法の好適な実施の形態を説明する。
【００１８】
この複数色の絵図又は文字のプリント方法は、次のａ、ｂの２種類の方法のいずれかを選択している。
ａの方法は、記録媒体３０表面にインクの滲み防止処理がなされている場合に用いられる方法である。
このａの方法では、図１に示したように、複数色同時プリント手段１００により、インクジェットヘッド１０をプラテン２０に搭載された記録媒体３０上方をＹ方向に移動させながら、そのインクジェットヘッド１０下面に並ぶ複数のノズル１２から２色以上のインク滴をその下方の記録媒体３０方向に噴射させている。そして、その記録媒体３０表面のＹ方向に２色以上の複数のインクのドットの寄せ集めからなる複数色の絵図又は文字を所定Ｘ幅分プリントしている。
また、複数色同時プリント手段１００により記録媒体３０表面のＹ方向に２色以上の複数のインクのドットの寄せ集めからなる複数色の絵図又は文字を所定Ｘ幅分プリントし終える度毎に、その複数色同時プリント手段１００により記録媒体３０表面のＹ方向にプリントし終えた複数色の絵図又は文字の所定Ｘ幅分、インクジェットヘッド１０を記録媒体３０上方をＸ方向に相対的に移動させている。そして、記録媒体３０表面のＸ方向に複数色の絵図又は文字を連続してプリントしている。
【００１９】
ｂの方法は、記録媒体３０表面にインクの滲み防止処理がなされていない場合に用いられる方法である。
このｂの方法では、図１に示したように、単色プリント手段２００により、インクジェットヘッド１０をプラテン２０に搭載された記録媒体３０上方をＹ方向に移動させながら、そのインクジェットヘッド１０下面に並ぶ複数のノズル１２から１色のインク滴をその下方の記録媒体３０方向に噴射させている。そして、その記録媒体３０表面のＹ方向に１色の複数のインクのドットの寄せ集めからなる単色の絵図又は文字を所定Ｘ長さ分プリントしている。
また、単色プリント手段２００により記録媒体３０表面のＹ方向に１色の複数のインクのドットの寄せ集めからなる単色の絵図又は文字を所定Ｘ幅分プリントし終える度毎に、その単色プリント手段２００により記録媒体３０表面のＹ方向にプリントし終えた単色の絵図又は文字の所定Ｘ幅分、インクジェットヘッド１０を記録媒体３０上方をＸ方向に相対的に移動させている。そして、記録媒体３０表面のＸ方向に単色の絵図又は文字を連続してプリントしている。
それと共に、図２に示したように、重ねプリント手段３００を用いて、単色プリント手段２００により単色の絵図又は文字を記録媒体３０表面のＸ方向に所定区切り長さ分プリントし終える度毎に、その単色プリント手段２００により絵図又は文字がＸ方向に所定区切り長さ分プリントされた記録媒体３０表面のプリント開始部分の上方にインクジェットヘッド１０をＸ−Ｙ方向に相対的に移動、復帰させている。そして、図１に示したように、その単色プリント手段２００により絵図又は文字がＸ方向に所定区切り長さ分プリントされた記録媒体３０表面であって、一定時間経過して、そのプリントされた絵図又は文字のインクが乾いた記録媒体３０表面に、単色プリント手段２００を用いて、従前にプリントされた絵図又は文字の色とは異なる単色の絵図又は文字を重ねてプリントしている。そして、記録媒体３０表面のＸ方向に赤、青、黄の三原色等の単色の絵図又は文字が重ねてプリントされてなる複数色の絵図又は文字を連続してプリントしている。
【００２０】
図１と図２に示したインクジェットプリンタを用いた複数色の絵図又は文字のプリント方法は、以上の工程からなり、この複数色の絵図又は文字のプリント方法においては、
ａ項記載のように、記録媒体３０表面にインクの滲み防止処理がなされている場合には、図１に示したように、複数色同時プリント手段１００により、インクジェットヘッド１０をプラテン２０に搭載された記録媒体３０上方をＹ方向に移動させながら、該インクジェットヘッド下面に並ぶ複数のノズル１２から２色以上のインク滴をその下方の記録媒体３０方向に噴射させて、その記録媒体３０表面のＹ方向に、２色以上の複数のインクのドットの寄せ集めからなる複数色の絵図又は文字を、インクジェットヘッド１０下面に並ぶ複数のノズル１２のＸ方向の丈分に当たる所定Ｘ幅分プリントできる。また、その複数色同時プリント手段１００により記録媒体３０表面のＹ方向に２色以上の複数のインクのドットの寄せ集めからなる複数色の絵図又は文字を所定Ｘ幅分プリントし終える度毎に、その複数色同時プリント手段１００により記録媒体３０表面のＹ方向にプリントし終えた複数色の絵図又は文字の所定Ｘ幅分、インクジェットヘッド１０をＸ方向に相対的に移動させることができる。そして、記録媒体３０表面のＸ方向に複数色の絵図又は文字を連続してプリントできる。
即ち、記録媒体３０表面にインクの滲み防止処理がなされている場合には、従来の複数色の絵図又は文字をプリントするインクジェットプリンタを用いた複数色の絵図又は文字のプリント方法と同様にして、そのインクの滲み防止処理がなされている記録媒体３０表面に複数色の絵図又は文字をプリントできる。
その際には、記録媒体３０表面に滲み防止処理がなされているため、その記録媒体３０表面のほぼ同一着弾点に、２色以上のインク滴が、その先に着弾したインク滴が乾かないうちに、ほぼ同時に着弾しても、その２色以上のインク滴が、合体して、大きなインク滴となり、その着弾点周囲の記録媒体３０に広く染み込むのを、防止できる。また、そのほぼ同一着弾点に着弾した２色以上のインク滴が、互いに混ざり合って、その記録媒体３０表面のほぼ同一着弾点に、所望の色とは異なる色あせたインクのドットが形成されるのを、防ぐことができる。
その結果、そのインクの滲み防止処理がなされた記録媒体３０表面に、滲みのないくっきりした鮮明な複数色の絵図又は文字をプリントすることが可能となる。
【００２１】
他方、ｂ項記載のように、記録媒体３０表面にインクの滲み防止処理がなされていない場合には、図１に示したように、単色プリント手段２００により、インクジェットヘッド１０をプラテン２０に搭載された記録媒体３０上方をＹ方向に移動させながら、該インクジェットヘッド下面に並ぶ複数のノズル１２から１色のインク滴をその下方の記録媒体３０方向に噴射させて、その記録媒体３０表面のＹ方向に１色の複数のインクのドットの寄せ集めからなる単色の絵図又は文字を、インクジェットヘッド１０下面に並ぶ複数のノズル１２のＸ方向の丈分に当たる所定Ｘ幅分プリントできる。また、その単色プリント手段２００により記録媒体３０表面のＹ方向に１色の複数のインクのドットの寄せ集めからなる単色の絵図又は文字を所定Ｘ幅分プリントし終える度毎に、その単色プリント手段２００により記録媒体３０表面のＹ方向にプリントし終えた単色の絵図又は文字の所定Ｘ幅分、インクジェットヘッド１０をＸ方向に相対的に移動させることができる。そして、記録媒体３０表面のＸ方向に単色の絵図又は文字を連続してプリントできる。それと共に、その単色プリント手段２００により単色の絵図又は文字を記録媒体３０表面のＸ方向に所定区切り長さ分プリントし終える度毎に、図２に示したように、重ねプリント手段３００を用いて、その単色プリント手段２００により絵図又は文字がＸ方向に所定区切り長さ分プリントされた記録媒体３０表面のプリント開始部分の上方にインクジェットヘッド１０をＸ−Ｙ方向に相対的に移動、復帰させることができる。そして、その単色プリント手段２００により絵図又は文字がＸ方向に所定区切り長さ分プリントされた記録媒体３０表面であって、一定時間経過して、そのプリントされた絵図又は文字のインクが乾いた記録媒体３０表面に、単色プリント手段２００を用いて、従前にプリントされた絵図又は文字の色とは異なる単色の絵図又は文字を重ねてプリントできる。そして、記録媒体３０表面のＸ方向に赤、青、黄等の２色以上の単色の絵図又は文字が重ねてプリントされてなる複数色の絵図又は文字を連続してプリントできる。
また、重ねプリント手段３００を用いて、単色プリント手段２００により従前に絵図又は文字がプリントされた所定区切り長さ分の記録媒体３０表面に、単色プリント手段２００により単色の絵図又は文字を重ねてプリントする際には、その所定区切り長さ分の記録媒体３０表面の同一部位に従前に単色プリント手段２００によりプリントされた絵図又は文字のインクは、一定時間経過していて、十分に乾いているため、その所定区切り長さ分の記録媒体３０表面に単色プリント手段２００により重ねてプリントする単色の絵図又は文字のインクであって、インクジェットヘッド１０下面のノズル１２から噴射されて記録媒体３０表面に着弾したインクが、従前にほぼ同じ着弾点に着弾した異なる色のインクと合体して、その着弾点周囲の記録媒体３０に広く染み込んだり、従前にほぼ同じ着弾点に着弾した異なる色のインクと互いに混ざり合って、その色がぼやけたり変化したりするのを、防ぐことができる。
その結果、そのインクの滲み防止処理がなされていない記録媒体３０表面にも、滲みのないくっきりした鮮明な複数色の絵図又は文字をプリントすることが可能となる。
重ねプリント手段３００を用いて、単色プリント手段２００により記録媒体３０表面に単色の絵図又は文字をプリントする色の順序は、限定はされないが、実験によれば、記録媒体３０表面におけるインクの滲みの防止効果を高めるためには、濃い色の単色の絵図又は文字から順にプリントするのが良く、特に黒色系の単色の絵図又は文字を単色プリント手段２００により最初にプリントするのが、インクの滲みの良好な防止効果が得られることが、判明した。
【００２２】
本発明のインクジェットプリンタ及び複数色の絵図又は文字のプリント方法は、図１と図２に示したような、記録媒体３０をプラテン２０表面をＸ方向にスライドさせる、いわゆるペーパームービンングタイプのインクジェットプリンタの他に、図３に示したような、記録媒体３０をフラットなベッド５０に動かぬように搭載して、その記録媒体３０上方をインクジェットヘッド１０をＸ−Ｙ方向に移動させる、いわゆるフラットベッドタイプのインクジェットプリンタにも、利用可能である。
本発明のインクジェットプリンタを用いた複数色の絵図又は文字のプリント方法をペーパームービンングタイプのインクジェットプリンタに利用した場合には、シートやフィルム等の定尺の記録媒体３０、及び長尺のロール紙等の記録媒体３０の両方に使用可能である。
インクの滲み防止処理がなされていない定尺の記録媒体３０の場合には、そのＸ方向のほぼ全長に当たる区切り長さ分、重ねプリント手段３００を用いて、単色プリント手段２００により単色の絵図又は文字を一度にＸ方向に重ねてプリントすると良い。
インクの滲み防止処理がなされていない長尺の記録媒体３０の場合には、その記録媒体３０表面のＸ方向に、所定区切り長さ分づつに分けて、重ねプリント手段３００を用いて、単色プリント手段２００により単色の絵図又は文字を重ねてプリントすると良い。
他方、インクの滲み防止処理がなされている定尺の記録媒体３０又は長尺の記録媒体３０の場合には、従前通り、複数色同時プリント手段１００により、その記録媒体３０表面のＸ方向に複数色の絵図又は文字を連続してプリントすると良い。
【００２３】
単色プリント手段２００により単色の絵図又は文字を一度にプリントする記録媒体３０のＸ方向の区切り長さは、インクジェットヘッド１０下面のノズル１２から噴射させるインクの乾燥速度、そのインクを着弾させる記録媒体３０の材質等を見極めて、決定すると良い。
そして、そのＸ方向の所定区切り長さ分の記録媒体３０表面に重ねプリント手段３００を用いて単色プリント手段２００により重ねてプリントする絵図又は文字のインクが、従前に記録媒体３０表面にプリントされた絵図又は文字のインクと混ざり合って、その色があせたり変色したりしないように調整すると良い。
【００２４】
【発明の効果】
以上説明したように、本発明のインクジェットプリンタを用いた本発明の複数色の絵図又は文字のプリント方法によれば、インクの滲み防止処理がなされている記録媒体は勿論、インクの滲み防止処理がなされていない記録媒体であっても、その記録媒体表面に、滲みのないくっきりとした鮮明な複数色の絵図又は文字をプリントすることが可能となる。
【図面の簡単な説明】
【図１】本発明のインクジェットプリンタの概略構造を示す側面断面図である。
【図２】本発明のインクジェットプリンタの使用状態を示す側面断面図である。
【図３】フラットベッドタイプのインクジェットプリンタの概略構造説明図である。
【図４】従来のインクジェットプリンタの概略構造を示す側面断面図である。
【図５】従来のインクジェットプリンタの概略構造を示す正面図である。
【符号の説明】
１０  インクジェットヘッド
１２  ノズル
２０  プラテン
２２  送りローラ
２４  ピンチローラ
２６  ガイドレ−ル
３０  記録媒体
５０  ベッド
１００  複数色同時プリント手段
２００  単色プリント手段
３００  重ねプリント手段
【図１】
0004544559.tif 000002
【図２】
0004544559.tif 000003
【図３】
0004544559.tif 000004
【図４】
0004544559.tif 000005
【図５】
0004544559.tif 000006